(57)【要約】【課題】履物の取り出しの動作工程が少なく、かつ、設置場所に自由度のある引き出し下駄箱を提供する。【解決手段】履物Ｓ，Ｓを収納する収納体２０を、該収納体２０の下部両側部に取り付けられた収納体側レール部材２１，２１と、前方が開口する箱状の本体１０の両側板１１，１１の下部内面に取り付けられた本体側レール部材１５，１５との係合を介して、本体１０にスライド自在に支持する。その場合、収納体２０に、前後に対向して立設された前板２３及び引き出し背板２４と、該前板２３及び引き出し背板２４間を連結するパイプ部材２６，２６と、該前板２３及び引き出し背板２４間の空間を上下に区画する棚板２５とを備え、該棚板２５を、パイプ部材２６，２６の架設位置より若干下方に配設する。【選択図】図４
2007319587.tif 000002
【特許請求の範囲】
【請求項１】
履物を収納する収納体を本体から前方へ引き出すように構成された引き出し下駄箱であって、
前記本体は、左右一対の側板と該側板の上端部間に架設された天板とを有し、
前記収納体は、該収納体の両側部と前記本体の両側板の内面との間に介設されたレール機構を介して該本体にスライド自在に支持されていることを特徴とする引き出し下駄箱。
【請求項２】
前記請求項１に記載の引き出し下駄箱において、
前記収納体は、前後に対向して立設された前板及び背板と、該前板の側部と背板の側部とを連結するパイプ部材と、該前板及び背板間の空間を上下に区画する棚板とを有することを特徴とする引き出し下駄箱。
【請求項３】
前記請求項２に記載の引き出し下駄箱において、
前記棚板は、前記前板と背板との間のパイプ部材架設位置より若干下方に配設されていることを特徴とする引き出し下駄箱。
【請求項４】
前記請求項３に記載の引き出し下駄箱において、
前記背板の少なくとも一方の側部の小口面に、側方に張り出す張出部材が設けられており、
前記パイプ部材は、該張出部材と前記前板の側部との間に架設されていることを特徴とする引き出し下駄箱。
【発明の詳細な説明】
【技術分野】
【０００１】
本発明は、玄関等に設置される下駄箱に関し、室内家具の技術分野に属する。
【背景技術】
【０００２】
従来、玄関に設置される下駄箱がある。例えば、図５に示すような玄関収納ユニットＡに組み込まれた開き戸タイプの下駄箱Ａ１０では、体の前に扉Ａ１１を開くためのスペースを置いて離れて立って扉Ａ１１の前面の取っ手Ａ１２を持ち、矢印及び二点鎖線で示すように該扉Ａ１１を開いたのち前に踏み出し、下駄箱Ａ１０内から履物Ｓを取り出すことになり、動作工程が多く、面倒であるという問題がある。
【０００３】
前記問題を解決することができるものとして、例えば特許文献１に開示の下駄箱がある。図６に示すように、この下駄箱Ｂ１０は、下部に図示しないキャスタが取り付けられたワゴンタイプのもので、玄関収納ユニットＢの一部を構成すると共に該収納ユニットＢの一側方の下方に設けられたオープンスペースに引き出し可能に設置されている。
【０００４】
この下駄箱Ｂ１０では、矢印で示す引出方向の側方に立って取っ手Ｂ１２を持ち、次に矢印及び二点鎖線で示すように下駄箱Ｂ１０を引き出し、その側方から収納された履物Ｓを取り出すことができるので、動作工程は少なくなる。
【０００５】
【特許文献１】特開２００１−３２７３４０号公報
【発明の開示】
【発明が解決しようとする課題】
【０００６】
ところで、前記下駄箱Ｂ１０は、キャスタを介して引き出すものであるので、例えば設置した土間に凹凸があると、がたつきのためスムーズな引き出しは困難となり、また、収納した履物Ｓ…Ｓが引き出し中に脱落するおそれがある。さらに、キャスタを介して引き出すものであることから、土間とフロアとの段差箇所に跨って設置することができず、設置場所が限定されるという問題がある。
【０００７】
そこで、本発明は、履物の取り出しの動作工程が少なく、かつ、設置場所に自由度のある引き出し下駄箱の提供を課題とする。
【課題を解決するための手段】
【０００８】
前記課題を解決するため、本発明は次のように構成したことを特徴とする。
【０００９】
まず、請求項１に記載の発明は、履物を収納する収納体を本体から前方へ引き出すように構成された引き出し下駄箱であって、前記本体は、左右一対の側板と該側板の上端部間に架設された天板とを有し、前記収納体は、該収納体の両側部と前記本体の両側板の内面との間に介設されたレール機構を介して該本体にスライド自在に支持されていることを特徴とする。
【００１０】
次に、請求項２に記載の発明は、前記請求項１に記載の引き出し下駄箱において、前記収納体は、前後に対向して立設された前板及び背板と、該前板の側部と背板の側部とを連結するパイプ部材と、該前板及び背板間の空間を上下に区画する棚板とを有することを特徴とする。
【００１１】
また、請求項３に記載の発明は、前記請求項２に記載の引き出し下駄箱において、前記棚板は、前記前板と背板との間のパイプ部材架設位置より若干下方に配設されていることを特徴とする。
【００１２】
そして、請求項４に記載の発明は、前記請求項３に記載の引き出し下駄箱において、前記背板の少なくとも一方の側部の小口面に、側方に張り出す張出部材が設けられており、前記パイプ部材は、該張出部材と前記前板の側部との間に架設されていることを特徴とする。
【発明の効果】
【００１３】
まず、請求項１に記載の発明によれば、収納体をレール機構を介して本体にスライド自在に支持する構成であるので、引出方向の側方に立って本体から収納体を引き出し、収納された履物を側方から取り出すことができるので、動作工程は少ない。しかも、玄関の土間の凹凸状態に拘らず、また、土間とフロアとに跨って設置することもでき、設置場所に自由度のある下駄箱が実現される。
【００１４】
なお、本体から履物が収納された収納体を引き出す構成であるため、引き出しの都度、収納した履物を新鮮な外気に触れさせることができるメリットもある。
【００１５】
次に、請求項２に記載の発明によれば、収納体を、前後の前板及び背板と、該前板の側部と背板の側部とを連結するパイプ部材と、該前板及び背板間の空間を上下に区画する棚板とで構成し、収納体から、上下に延びる側板や前後に延びる天板を排除した構成であるので、収納された履物を引出方向の両側方のいずれからでも取り出すことができ、また、最上方の棚板上に収納された履物については上方に取り出すことができる。しかも、側板や天板を用いないので、収納体の軽量化を図ることができることから、収納体の引き出しや押し込み動作が楽になる。
【００１６】
なお、背板を板状とすれば、本体に収納体を押し込むときに、上下に延びる背板により本体内の空気が押し出されることになり、本体内を効果的に換気することができる。
【００１７】
また、請求項３に記載の発明によれば、棚板は、前板と背板との間のパイプ部材架設位置より若干下方に配設されているので、引き出し時や押し込み時に振動があっても、棚板上に収納された履物の移動はパイプ部材により規制され、脱落が防止される。
【００１８】
そして、請求項４に記載の発明によれば、パイプ部材は、背板の少なくとも一方の側部の小口面に設けられて側方に張り出す張出部材と前板との間に架設されているので、張出部材を用いない場合に比較して背板の幅寸法を小さくすることができ、背板ひいては収納体の軽量化を図ることができる。
【発明を実施するための最良の形態】
【００１９】
本発明の実施の形態について説明する。
【００２０】
図１に示すように、本実施の形態に係る玄関収納ユニット１は、壁面Ｗに吊下げ支持された２つのウォールキャビネット２，２と、該ウォールキャビネット２，２の下方で台輪３に支持された背の高いサイドキャビネット４及び背の低い引き出し下駄箱５，５とを有している。なお、台輪３は、その左側端部はフロアＦに、一方、右側端部は前後一対の木脚（手前側のみ図示）３ａ，３ａを介して土間Ｇにそれぞれ支持されており、また、引き出し下駄箱５，５の上面に、カウンタ６が取り付けられている。
【００２１】
図２及び図３に示すように、本発明の特徴部分である引き出し下駄箱５は、箱状の本体１０と、該本体１０にスライド自在に支持された収納体２０とを有している。
【００２２】
本体１０は、左右一対の側板１１，１１と、該側板１１，１１の下端部間及び上端部間に配設された底板１２及び天板１３と、該底板１２及び天板１３の後端部間に配設された背板１４とを有し、前面が開口されている。そして、前記側板１１，１１の下部内面に、それぞれ本体側レール部材１５，１５が取り付けられている。
【００２３】
収納体２０は、下部側壁を兼ねる左右一対の収納体側レール部材２１，２１と、該レール部材２１，２１間に配設された引き出し底板２２と、該引き出し底板２２の前後端部からそれぞれ上方に延びる幅寸法の幾分大きい前板２３及び幅寸法の幾分小さい引き出し背板２４とを有している。また、前板２３の前面上部には、取っ手２３ａが取り付けられている。そして、収納体側レール部材２１，２１は、前記本体側レール部材１５，１５にスライド自在に係合しており、これらは、本体１０から収納体２０を引き出すためのレール機構を構成する。レール機構としては、本体１０から収納体２０を完全に引き出すことができる構成のものも適宜適用される。なお、図面の複雑化を避けるため、図２では、レール機構に備えられたローラ等の記載を省略している。
【００２４】
前板２３及び引き出し背板２４の互いに対向する面の左右側部には、それぞれ対応する位置関係で、上下方向に複数のダボ孔（図２に引き出し背板２４側のもののみ図示）２４ａ…２４ａが設けられており、これらダボ孔２４ａ…２４ａとダボ２４ｂ…２４ｂとの嵌合を介し、前板２３及び引き出し背板２４間の空間を上下に区画する３枚の棚板２５…２５が配設されている。その場合、棚板２５…２５と引き出し背板２４とは、略同じ幅寸法とされており、また、上下に隣接する棚板２５…２５間の間隔より、最下方の棚板２５と引き出し底板２２との間の間隔の方が大きくなるように構成されている。したがって、３枚の棚板２５…２５上には高さ寸法の小さい履物Ｓ…Ｓが、引き出し底板２２上には高さ寸法の大きい履物Ｓ′が収納可能である。その場合、履物Ｓ′の取り出し易さの点から、前記収納体側レール部材２１，２１には、高さ寸法の小さい構成のものが好ましい。
【００２５】
棚板２５…２５の配設高さに略対応する位置関係で、引き出し背板２４の側部の小口面に、張出部材２６ａ…２６ａを備えた連結機構を有するパイプ部材２６…２６が架設されており、張出部材２６ａ…２６ａから延びるパイプ部材２６…２６の前端部は前板２３の後面に連結されている。その場合、パイプ部材２６…２６の架設位置は、棚板２５…２５より若干上方かつ外方とされる。
【００２６】
ここで、引き出し下駄箱５の使用例について説明する。
【００２７】
図４に示すように、土間ＧとフロアＦとに跨って設置された方の引き出し下駄箱５を例にとると、矢印ａで示す引出方向の側方に立ち、前板２３前面の取っ手２３ａを持って前記引出方向ａに引くと、収納体２０の下部側部に取り付けられた収納体側レール部材２１，２１と本体１０の両側板１１，１１の下部内面に取り付けられた本体側レール部材１５，１５とを介してスライド自在に支持された収納体２０は、図例のように引き出される。
【００２８】
そして、前板２３と引き出し背板２４との間に配設された棚板２５上において、引出方向ａの左右両側の小口面に張出部材２６ａ，２６ａを介して架設されたパイプ部材２６，２６に挟まれるように収納された履物Ｓ，Ｓを取り上げることになる。なお、図４に追加して二点鎖線で示すように、この収納体２０では、張出部材２６ａ，２６ａを介してパイプ部材２６，２６を架設することにより、棚板２５の幅寸法を超える長さの履物Ｓ″であっても、脱落を防止しつつこれを収納することができる。
【００２９】
以上のように構成したことにより、まず、収納体２０を収納体側レール部材２１…２１と本体側レール部材１５…１５とでなるレール機構を介して本体１０にスライド自在に支持する構成であるので、引出方向ａの側方に立って本体１０から収納体２０を引き出し、収納された履物Ｓ，Ｓ′，Ｓ″を側方から取り出すことができるので、動作工程は少ない。しかも、玄関の土間Ｇの凹凸状態に拘らず、また、土間ＧとフロアＦとに跨って設置することもでき、設置場所に自由度のある下駄箱５が実現される。
【００３０】
なお、本体１０から履物Ｓ，Ｓ′，Ｓ″が収納された収納体２０を引き出す構成であるため、引き出しの都度、収納した履物Ｓ，Ｓ′，Ｓ″を新鮮な外気に触れさせることができるメリットもある。
【００３１】
また、収納体１０を、前後の前板２３及び引き出し背板２４と、該前板２３の側部と引き出し背板２４の側部とを連結するパイプ部材２６…２６と、該前板２３及び引き出し背板２４間の空間を上下に区画する棚板２５…２５とで構成し、収納体２０から、上下に延びる側板や前後に延びる天板を排除した構成であるので、収納された履物Ｓ，Ｓ′，Ｓ″を引出方向ａの両側方のいずれからでも取り出すことができ、また、最上方の棚板２５上に収納された履物Ｓについては上方に取り出すことができる。しかも、側板や天板を用いないので、収納体２０の軽量化を図ることができることから、収納体２０の引き出しや押し込み動作が楽になる。
【００３２】
なお、引き出し背板２４を、板状としているので、本体１０に収納体２０を押し込むときに、上下に延びる引き出し背板２４により本体１０内の空気が押し出されることになり、本体１０内を効果的に換気することができる。
【００３３】
また、棚板２５…２５は、前板２３と引き出し背板２４との間のパイプ部材２６…２６の架設位置より若干下方に配設されているので、引き出し時や押し込み時に振動があっても、棚板２５…２５上に収納された履物Ｓ，Ｓ″の移動はパイプ部材２６…２６により規制され、脱落が防止される。
【００３４】
そして、パイプ部材２６…２６は、引き出し背板２４の両側部の小口面に設けられて側方に張り出す張出部材２６ａ…２６ａと前板２３との間に架設されているので、張出部材２６ａ…２６ａを用いない場合に比較して引き出し背板２４の幅寸法を小さくすることができ、引き出し背板２４ひいては収納体２０の軽量化を図ることができる。
【００３５】
なお、本発明は、具体的に詳述した前記実施の形態に限定されることはなく、本発明の趣旨に沿うものであればよい。
【００３６】
例えば、前記実施の形態では、引き出し背板２４に板状のものを用いたが、枠状や網状のものを用いてもよい。その場合には、板状のものに比較して軽量化を図ることができる。
【００３７】
また、前記実施の形態では、収納体２０において、引き出し背板２４と棚板２５とを略同じ幅寸法としたが、パイプ部材２６…２６を架設する場合には、棚板２５の幅寸法を小さくすることができ、軽量化を図ることができる。
【００３８】
また、前記実施の形態では、棚板２５ごとに一対のパイプ部材２６，２６を架設したが、本数も含め、配設箇所を適宜省略してもよい。
【産業上の利用可能性】
【００３９】
以上説明したように、本発明によれば、履物の取り出しの動作工程が少なく、かつ、設置場所に自由度のある下駄箱が提供される。すなわち、本発明は、室内家具の技術分野に広く好適である。
【図面の簡単な説明】
【００４０】
【図１】本発明の実施の形態に係る玄関収納ユニットの正面図である。
【図２】引き出し下駄箱の一部を破断した正面図である。
【図３】図２のＩＩ−ＩＩ線による断面図である。
【図４】本体から収納体を引き出した状態を示す平面図である。
【図５】従来の下駄箱の平面図である。
【図６】従来の別なる下駄箱の平面図である。
【符号の説明】
【００４１】
５        引き出し下駄箱
１０      本体
１１      側板
１３      天板
１５      本体側レール部材（レール機構）
２０      収納体
２１      収納体側レール部材（レール機構）
２３      前板
２４      引き出し背板（背板）
２５      棚板
２６      パイプ部材
２６ａ    張出部材
Ｓ，Ｓ′，Ｓ″    履物
【図１】
2007319587.tif 000003
【図２】
2007319587.tif 000004
【図３】
2007319587.tif 000005
【図４】
2007319587.tif 000006
【図５】
2007319587.tif 000007
【図６】
2007319587.tif 000008